(57)【要約】【課題】電子製品の盗難を防止または阻止でき、操作と制御が簡単である盗難防止錠を提供する。【解決手段】電子装置２００の接続ポート２０２に連接される電子装置の盗難防止錠１００である。ケース１０は、一側に形成されて接続ポート２０２に連接される接合ポート１４を有する。少なくとも一つの操作装置３０は、移動可能であるようにケース１０の一側に配置され、接合ポート１４の一側に位置する係止ユニットを連動させることが可能である。錠本体２０は、ケース１０内に配置されている。錠本体２０が施錠されている場合、錠本体２０は操作装置３０の移動を制限する。錠本体２０が開錠される場合、錠本体２０は操作装置３０の移動を解放する。【選択図】図１
0003126423.tif 000002
【実用新案登録請求の範囲】
【請求項１】
電子装置の接続ポートに連接される電子装置の盗難防止錠であって、
一側に形成され、接続ポートに連接される接合ポートを有するケースと、
移動可能にケースの一側に配置され、接合ポートの一側に位置する係止ユニットを連動させることが可能である少なくとも一つの操作装置と、
ケース内に配置されている錠本体とを備え、
錠本体が施錠されている場合、錠本体は操作装置の移動を制限し、錠本体が開錠される場合、錠本体は操作装置の移動を解放することを特徴とする電子装置の盗難防止錠。
【請求項２】
錠本体は、少なくとも一つの軸方向に移動可能な桿状部と、桿状部にかぶさるように装着される複数の数字車とを有し、数字車を回転させて錠本体を開錠すれば、錠本体が桿状部の軸方向移動を解放することを特徴とする請求項１に記載の電子装置の盗難防止錠。
【請求項３】
操作装置は、移動可能であるようにケースの一側に配置され、操作装置は桿状部に突き当たるため、操作装置を移動させれば、桿状部を軸方向に沿って移動させることが可能であることを特徴とする請求項２に記載の電子装置の盗難防止錠。
【請求項４】
操作装置は、横向きに移動可能であるようにケースの一側に配置され、操作装置を横向きに移動させれば、桿状部を軸方向に沿って移動させることが可能であることを特徴とする請求項２に記載の電子装置の盗難防止錠。
【請求項５】
桿状部は、一端に平板を有し、平板の端部は操作装置に突き当たることを特徴とする請求項２に記載の電子装置の盗難防止錠。
【請求項６】
錠本体と平板の間に配置される弾性ユニットを含むことを特徴とする請求項５に記載の電子装置の盗難防止錠。
【請求項７】
係止ユニットの一端には接続ポートと係合するフック部を含むことを特徴とする請求項１に記載の電子装置の盗難防止錠。
【請求項８】
さらに可撓性チェーンを含み、ケースは錠本体を装着するための内孔と、操作装置を配置するための少なくとも一つの腔室と、可撓性チェーンを固定するための空間とを含むことを特徴とする請求項１に記載の電子装置の盗難防止錠。
【請求項９】
空間は、凹槽を有し、可撓性チェーンは凸縁を有し、凸縁は凹槽に対応するように配置されていることを特徴とする請求項７に記載の電子装置の盗難防止錠。
【請求項１０】
ケースは、複数の嵌合孔を有する第一半部と、第一半部に対応する第二半部とを含み、第二半部は複数の嵌合孔に装着される複数の嵌合柱を有し、複数の嵌合柱は少なくとも一つの固定柱を含むことを特徴とする請求項１に記載の電子装置の盗難防止錠。
【請求項１１】
係止ユニットは、一端に固定柱を嵌め込むための嵌合孔を有することを特徴とする請求項１０に記載の電子装置の盗難防止錠。
【請求項１２】
操作装置は、補助ユニットを含み、補助ユニットは一端に誘導面が形成され、誘導面は桿状部の端部に突き当たることを特徴とする請求項１に記載の電子装置の盗難防止錠。
【請求項１３】
補助ユニットは、係止ユニットを固定するための欠け口を含むことを特徴とする請求項１２に記載の電子装置の盗難防止錠。
【請求項１４】
錠本体は、番号錠を含むことを特徴とする請求項１に記載の電子装置の盗難防止錠。
【請求項１５】
盗難防止錠を有する連接装置であって、
一側に形成され、接続ポートに連接される接合ポートを有するケースと、
移動可能であるようにケースの一側に配置され、接合ポートの一側に位置する係止ユニットを連動させることが可能である少なくとも一つの操作装置と、
ケース内に配置されている錠本体とを備え、
錠本体が施錠されている場合、錠本体は操作装置の移動を制限し、錠本体が開錠される場合、錠本体は操作装置の移動を解放することを特徴とする連接装置。
【請求項１６】
錠本体は、少なくとも一つの軸方向に移動可能な桿状部と、桿状部にかぶさるように装着される複数の数字車とを有し、数字車を回転させて錠本体を開錠すれば、錠本体が桿状部の軸方向移動を解放することを特徴とする請求項１５に記載の連接装置。
【請求項１７】
操作装置は、移動可能であるようにケースの一側に配置され、操作装置は桿状部に突き当たるため、操作装置を移動させれば、桿状部を軸方向に沿って移動させることが可能であることを特徴とする請求項１６に記載の連接装置。
【請求項１８】
操作装置は、横向きに移動可能であるようにケースの一側に配置され、操作装置を横向きに移動させれば、桿状部を軸方向に沿って移動させることが可能であることを特徴とする請求項１６に記載の連接装置。
【請求項１９】
桿状部は、一端に平板を有し、平板の端部は操作装置に突き当たることを特徴とする請求項１６に記載の連接装置。
【請求項２０】
錠本体と平板の間に配置されている弾性ユニットを含むことを特徴とする請求項１９に記載の連接装置。
【請求項２１】
係止ユニットの一端には接続ポートと係合するフック部を含むことを特徴とする請求項１５に記載の連接装置。
【請求項２２】
さらに可撓性チェーンを含み、ケースは錠本体を装着するための内孔と、操作装置を配置するための少なくとも一つの腔室と、可撓性チェーンを固定するための空間とを含むことを特徴とする請求項１５に記載の連接装置。
【請求項２３】
空間は、凹槽を有し、可撓性チェーンは凸縁を有し、凸縁は凹槽に対応するように配置されていることを特徴とする請求項２２に記載の連接装置。
【請求項２４】
ケースは、複数の嵌合孔を有する第一半部と、第一半部に対応する第二半部とを含み、第二半部は複数の嵌合孔に装着される複数の嵌合柱を有し、複数の嵌合柱は少なくとも一つの固定柱を含むことを特徴とする請求項１５に記載の連接装置。
【請求項２５】
係止ユニットは、一端に固定柱を嵌め込むための嵌合孔を有することを特徴とする請求項２４に記載の連接装置。
【請求項２６】
操作装置は、補助ユニットを含み、補助ユニットは一端に誘導面が形成され、誘導面は桿状部の端部に突き当たることを特徴とする請求項１５に記載の連接装置。
【請求項２７】
補助ユニットは、係止ユニットを固定するための欠け口を含むことを特徴とする請求項２６に記載の連接装置
【請求項２８】
錠本体は、番号錠を含むことを特徴とする請求項１５に記載の電子装置の連接装置。
【考案の詳細な説明】
【技術分野】
【０００１】
本考案は、防犯用ロック、詳しく言えば、電子装置の盗難防止錠に関するものである。
【背景技術】
【０００２】
現今、流行している消耗性の電子製品、例えば、携帯電話、ＭＰ３、デジタルカメラ（ＤＣ）とパームトップ型ゲーム機などは携帯と軽薄化を可能にするように設計されているため、一人当たりの多種の電子製品を携帯する機会が大幅に高まる。しかし、これらの製品は、比較的高価で換金性が高いため、盗難にあう可能性が高くなる。
【０００３】
特許文献１の「コンピューターまたはそれに類似する機器の盗難防止錠」と特許文献２は、勝手に接続されたり、盗難にあったりすることを防止可能な錠の構造を設計している。
また、上述したものは、両側に配置される番号錠の開閉制御の複合栓によりコンピューターに連接したり、それと分離したりすることが可能であるコンピューターの盗難防止錠を掲示している。しかし、上述したものは、従来の複合栓によりコンピューターをロックする方法を採用するため、手間が非常にかかる。
【０００４】
一般の連接装置の領域では、連接した電子装置を保護し、その管理を強化するような盗難防止錠またはチェーンに相当するような設計案がまだ提出されていないため、所有者以外の人が所有者の同意を得ずに勝手に取ることを防止し、所有者の余計な経済的損失を減少させることが不可能である。
【０００５】
【特許文献１】中華民国実用新案公告第Ｍ２４７，６６７号
【特許文献２】アメリカ合衆国特許第ＵＳ６，７９６，１５２Ｂ１号
【考案の開示】
【考案が解決しようとする課題】
【０００６】
本考案の主な目的は、電子製品の盗難を防止または阻止可能な盗難防止錠を提供することである。
本考案のもう一つの目的は、盗難防止機能を有する連接装置を提供することである。
本考案のもう一つの目的は、特定の物体に巻きつけて固定することが可能である盗難防止錠または連接装置を提供することである。
本考案のもう一つの目的は、操作または制御が簡単で、迅速に連接または分離が可能である盗難防止錠または連接装置を提供することである。
【課題を解決するための手段】
【０００７】
上述の目的を達成するために、本考案による電子装置の盗難防止錠は、電子装置の接続ポートに連接され、かつケース、錠本体及び少なくとも一つの操作装置を備える。ケースは、ケースの一側から伸びて形成される接合ポートを有する。錠本体は、ケース内に配置され、かつ軸方向に沿って移動可能な桿状部を少なくとも一つ有する。操作装置は、横向きに移動可能であるようにケースの一側に配置される。操作装置は桿状部に突き当たるため、操作装置を横向きに移動させれば、軸方向に沿って桿状部を移動させることが可能である。また、操作装置は係止ユニットを連動させることが可能であり、係止ユニットは一端を延伸してフック部を形成し、フック部は接合ポートの一側に位置付けられる。錠本体が施錠されている場合、錠本体は桿状部の軸方向移動と操作装置の横向き移動を制限する。錠本体が開錠される場合、錠本体は桿状部の軸方向移動と操作装置の横向き移動を解放する。
【考案を実施するための最良の形態】
【０００８】
以下、本考案の具体的な実施例とステップを図面に基づいて説明する。
本考案の一実施例による電子装置の盗難防止錠１００は、図１に示すように、電子装置２００の接続ポート２０２に連接される。ここで、電子装置２００は、接続ソケット（socket）を有するＭＰ３、携帯電話、パーソナルデジタルアシスタント、ノートパソコンまたは別の消耗性の電子製品などのいずれか一つでも可能である。かつ図２に示すように、盗難防止錠１００は、ケース１０、錠本体２０及び少なくとも一つの操作装置３０を備える。ケース１０は、接合ポート１４と内孔１２を有し、かつ少なくとも一つの腔室１６と空間１８を形成する。接合ポート１４は、ケース１０の一側に形成される。本実施例では、接合ポート１４はプラグ（plug）または接合ポートの接続に用いられるユニットを含むことが可能である。
【０００９】
錠本体２０は、ケース１０内に配置される。特に、錠本体を内孔１２内に配置すれば好ましい。腔室１６は、操作装置３０の配置に用いられる。図２に示す実施例では、本実施例による盗難防止錠１００は一対の操作装置を含むことが可能であるため、ケース１０は二つの腔室１６を含むことが可能である。空間１８は、可撓性チェーン５０の配置に用いられる。また、空間１８は可撓性チェーン５０の凸縁５４に対応するように配置される凹槽１８２を有し、可撓性チェーン５０はケース１０内に係合される。
【００１０】
ケース１０は、図２に示すように、第一半部１０２、第二半部１０４及びそれらに対応するプラスチックケース１１６を有する。第一半部１０２のプラスチックケース１１６は、複数の嵌合孔１１４と複数の矩形孔１１０を有する。第二半部１０４のプラスチックケース１１６は、複数の嵌合柱１０６と第一半部１０２に対応する複数の矩形孔１１０を有する。上述の嵌合柱１０６は嵌合孔１１４に装着され、上述の矩形孔１１０は錠本体２０の設置に用いられる。本実施例では、錠本体２０は回転可能な番号錠の多数の数字車２８から構成することが可能であり、第一半部１０２と第二半部１０４はそれらに対応するプラスチックケース１１６により相互に嵌合することが可能である。上述の嵌合柱１０６はさらに少なくとも一つの固定柱１０８を有し、本実施例では、固定柱１０８は二つである。また、プラスチックケース１１６は、ゴム、プラスチックまたは軟質材質などのいずれか一つから構成される。また、別の実施例では、プラスチックケース１１６を配置することなく、上述の嵌合柱または嵌合孔などの互いに対応する嵌合ユニットを配置することにより、組立を完成させることが可能である。
【００１１】
図３に示す実施例では、錠本体２０は、軸方向に移動可能な桿状部２２と、桿状部２２にかぶさるように装着される複数の数字車２８から構成することが可能である。つまり、本実施例が番号錠であれば好ましい。数字車２８を回転させて番号と設定番号とを一致させて開錠すれば、錠本体２０が桿状部２２の軸方向移動を解放する。桿状部２２を解放したり、制限したりする方法は周知であるため、説明を省く。また、桿状部２２は一端に平板２４を有し、錠本体２０と平板２４の間には弾性ユニット２６を有する。操作装置３０は、横向きに移動可能であるようにケース１０の一側に配置される。操作装置３０は、桿状部２２の一端に突き当たる。かつ操作装置３０を横向きに移動させれば、軸方向に沿って桿状部２２を移動させることが可能である。本実施例では、操作装置３０は桿状部２２の平板２４に突き当たり、かつ弾性ユニット２６はスプリングまたは弾性のあるユニットなどにすることが可能である。また、別の実施例では、操作装置３０を別の方向に沿って移動させることにより、桿状部２２を移動させることも可能である。
【００１２】
また、操作装置３０は係止ユニット３２を連動させることが可能であり、係止ユニット３２は一端を延伸してフック部３４を形成し、フック部３４は接合ポート１４の一側に位置付けられる。図７に示す実施例では、フック部３４は、電子装置２００の接続ポート２０２に係合される（図中未表示）。錠本体２０が施錠されている場合、錠本体２０は桿状部２２の軸方向移動と操作装置３０の横向き移動を制限する。錠本体２０が開錠される場合、錠本体２０は桿状部２２に対する軸方向移動の制限と操作装置３０に対する横向き移動の制限を解放する。
【００１３】
また、操作装置３０は補助ユニット４０によりフック部３４を駆動することが可能であり、補助ユニット４０は誘導面４２と欠け口４６を有する。誘導面４２は、補助ユニット４０の一端に形成され、かつ桿状部２２の平板２４に突き当たる。補助ユニット４０の欠け口４６は、片状を呈する係止ユニット３２を固定する。係止部３２は一端に固定柱１０８を嵌入するための嵌合孔３６を有するため、係止部３２の他端は固定柱１０８に対して移動することが可能である。本実施例では、誘導面４２は斜面となり、平板２４に対してスライド可能である。補助ユニット４０と係止ユニット３２は、ペアで配置される。
【００１４】
錠本体２０が施錠されている場合、錠本体２０は桿状部２２の移動を制限する。つまり、桿状部２２は軸方向に移動することが不可能である。桿状部２２の平板２４と補助ユニット４０の誘導面４２が互いに突き当たるため、操作装置３０は補助ユニット４０を横向きに移動させることができない。このとき、接合ポート１４と電子装置２００の接続ポート２０２とを連接させ、フック部３４と接続ポート２０２とを嵌め合わせれば、操作装置３０はフック部３４を奥へ後退させることができない。したがって、錠本体２０が施錠されている状態である場合、操作装置３０は、図１に示すように、フック部３４と接続ポート２０２の嵌合関係を解放することができず、電子装置２００と盗難防止錠１００をロック固定する目的を達成可能である。
【００１５】
以下、図４から図６に基づいて本実施例の詳細な作動を説明する。錠本体２０が開錠される場合、桿状部２２と操作装置３０が移動可能なユニットとなるため、操作装置３０を横向きに沿って奥へ移動させれば、補助ユニット４０を連動させ、係止ユニット３２を奥へ移動させるように駆動し、係止ユニット３２のフック部３４を接合ポート１４へ移動させることが可能である。これにより、盗難防止錠１００と対応する接続ポート（図中未表示）とを連接させたり、分離させたりすることが可能となる。かつ補助ユニット４０の誘導面４２により桿状部２２の平板２４を軸方向に移動させることが可能となる。また、弾性ユニット２６の弾力関係により操作装置３０を解放すれば、桿状部２２を最初の位置に自動的に復元させることが可能である。言い換えれば、図６の虚線に示すように、桿状部２２の平板２４により斜面を呈する誘導面４２、フック部３４、補助ユニット４０及び操作装置３０を最初の位置に復元させるように押すことが可能である。
【００１６】
効率的に電子装置２００の管理と保護を高めるために、本実施例のもう一つの特徴は、可撓性チェーン５０を特定の物体に巻きつけて固定し、盗難防止錠１００の接合ポート１４と電子装置２００の接続ポート２０２とを連接させることである。図７に示す実施例では、特定の物体は机の脚となる。また、別の実施例では、この特定の物体は背もたれ、リュックサックまたは自転車などの日常生活に関係がある物にすることも可能である。また、本実施例では、可撓性チェーン５０は切断されたり、折って切れたりする心配がない鋼鉄製のチェーンにすることが可能である。また、可撓性チェーン５０による固定方法は周知であるため、説明を省く。
【００１７】
また、本実施例による盗難防止錠１００は、接続ポートに連接可能な連接装置にすることも可能である。言い換えれば、本実施例は盗難防止錠を有する連接装置１００である。その構造は上述の通りであるため、説明を省く。ここで注目すべきは、本実施例による盗難防止錠又は連接装置１００は電子装置２００を迅速に連接したり、取り外したりする効果と操作装置３０を自動的に復元させる効果を兼ね備えるため、利便性と実用性がよりいっそう高まることである。
以上は本考案の詳しい説明であるが、上述したものは本考案の一例にすぎないため、本考案の請求範囲を限定できない。そして、本考案の請求範囲に基づき、均等な変化及び修正をするのは本考案の請求範囲に属するべきである。
【図面の簡単な説明】
【００１８】
【図１】本考案の一実施例による電子装置の盗難防止錠が電子装置に連接されている状態を示す斜視図である。
【図２】本考案の一実施例による電子装置の盗難防止錠を示す分解斜視図である。
【図３】本考案の一実施例による電子装置の盗難防止錠の一部分を示す側面図である。
【図４】Ａ−Ａ線で切断した断面図である。
【図５】図４の開錠後の第一作動を示す模式図である。
【図６】図４の開錠後の第二作動を示す模式図である。
【図７】本考案の一実施例による電子装置の盗難防止錠の使用状態を示す模式図である。
【符号の説明】
【００１９】
１０  ケース、１２  内孔、１４  接合ポート、１６  腔室、１８  空間、２０  錠本体、２２  桿状部、２４  平板、２６  弾性ユニット、２８  数字車、３０  操作装置、３２  係止ユニット、３４  フック部、３６  嵌合孔、４０  補助ユニット、４２  誘導面、４６  欠け口、５０  可撓性チェーン、５４  凸縁、１００  盗難防止錠又は連接装置、１０２  第一半部、１０４  第二半部、１０６  嵌合柱、１０８  固定柱、１１０  矩形孔、１１４  嵌合孔、１１６  プラスチックケース、１８２  凹槽、２００  電子装置、２０２  接続ポート
【図１】
0003126423.tif 000003
【図２】
0003126423.tif 000004
【図３】
0003126423.tif 000005
【図４】
0003126423.tif 000006
【図５】
0003126423.tif 000007
【図６】
0003126423.tif 000008
【図７】
0003126423.tif 000009